(57)【要約】【課題】緑化ボードについて、廃棄する際の環境への負荷を低減しながらも、その保水性を高める。【解決手段】緑化ボード５は、保水性を有する木質繊維板１９からなる保水ボード１３を備え、保水ボード１３の一方の表面側において植物１０を生育するように構成されている。そして、保水ボード１３の他方の表面側である裏面側には溝部５０が形成され、この溝部５０の両端は保水ボード１３の側端部においてそれぞれ開放されている。【選択図】図３
2012223160.tif 000002
【特許請求の範囲】
【請求項１】
保水性を有する木質繊維板からなる保水ボードを備え、
上記保水ボードの一方の表面側において植物を生育するように構成された緑化ボードであって、
上記保水ボードの他方の表面側である裏面側には溝部が形成され、
上記溝部の両端は、上記保水ボードの側端部においてそれぞれ開放されている
ことを特徴とする緑化ボード。
【請求項２】
請求項１に記載された緑化ボードにおいて、
上記保水ボードは矩形板状に形成され、
上記溝部の両端は、上記保水ボードの４辺のうち互いに異なる２辺に形成されている
ことを特徴とする緑化ボード。
【請求項３】
請求項１又は２に記載された緑化ボードにおいて、
上記保水ボードの裏面側には、シート状物が該保水ボードの裏面に接触して設けられている
ことを特徴とする緑化ボード。
【請求項４】
請求項１乃至３の何れか１つに記載された緑化ボードにおいて、
上記保水ボードにおける上記一方の表面には、複数の穴部又は複数の溝部が形成されている
ことを特徴とする緑化ボード。
【請求項５】
請求項１乃至４の何れか１つに記載された緑化ボードにおいて、
上記保水ボードには、該保水ボードの厚さ方向に延びる複数の貫通孔が形成されている
ことを特徴とする緑化ボード。
【請求項６】
請求項１乃至３の何れか１つに記載された緑化ボードにおいて、
上記保水ボードにおける上記一方の表面には、複数の溝部が形成され、
上記保水ボードは、上記一方の表面側の溝部と上記裏面側の溝部とが、交差して互いに連通することにより形成された貫通孔を有している
ことを特徴とする緑化ボード。
【請求項７】
請求項１乃至６の何れか１つに記載された緑化ボードにおいて、
上記保水ボードは、少なくとも裏面側に親水性を有する親水層が形成されている
ことを特徴とする緑化ボード。
【請求項８】
緑化ボードを複数備えた緑化システムであって、
上記緑化ボードは、保水性を有する木質繊維板からなる保水ボードを備え、該保水ボードの一方の表面側において植物を生育するように構成され、
上記保水ボードの他方の表面側である裏面側には溝部が形成され、
上記溝部の両端は、上記保水ボードの側端部においてそれぞれ開放されている
ことを特徴とする緑化システム。
【請求項９】
請求項８に記載された緑化システムにおいて、
上記保水ボードの裏面側には、シート状物が該保水ボードの裏面に接触して設けられている
ことを特徴とする緑化システム。
【発明の詳細な説明】
【技術分野】
【０００１】
本発明は、植物が生育される緑化ボード及びそれを備えた緑化システムに関するものである。
【背景技術】
【０００２】
近年、植物を育生するための緑化ボード及びそれを備えた緑化システムが、ＣＯ２吸収や省エネルギー化等の環境向上を図る手段として注目されている。緑化システムは、例えば建物の屋上等に設置されるが、その設置場所に加わる荷重を低減するために、軽量化することが望まれている。
【０００３】
そこで、不織布やフェルトのような樹脂繊維をマット状に成型した保水用ボードが提案されており、土壌の一部を軽量な保水用ボードに置き換える試みが行われている。そして、保水用ボードの上に載積された土壌層において、例えば芝生等の植物を生育するようにしている。
【０００４】
しかし、上記保水用ボードは樹脂繊維からなるため、その保水用ボード自体を廃棄する際に多量のＣＯ２が排出されるという問題がある。さらに、上記保水用ボードには芝生等の根が入り込んでしまうため、例えば芝生の一部を他の植物に入れ替えるような場合には、保水用ボードごと芝生を取り外し、新たな保水用ボードと共に他の植物を設置する必要がある。この芝生の根が入り込んだ保水用ボードは、産業廃棄物として埋め立て処理しなければならず、環境配慮の観点で問題がある。
【０００５】
また、上記保水用ボードは、樹脂繊維によって構成されているので、保水性に優れるものの、不必要に水分を保持してしまう問題も有している。例えば、降雨等により大量の水が保水用ボードに供給されたときには、長期にわたって水溜りのような状態が続いてしまうこととなる。
【０００６】
一方、吸水ポリマーを含有する保水板によって、大量に供給された水を内部に保持することも提案されている。この保水板では、保水した水の蒸散を抑制できるが、吸水ポリマーに保持されている水分を植物が直接に利用できないため、合理的とはいえない。
【０００７】
これに対し、特許文献１では、木質繊維板の全体に界面活性剤を添加し、保水性を向上させた植物栽培用の保水資材が提案されている。この保水資材によれば、植物が保水された水分を直接に利用することができる。
【先行技術文献】
【特許文献】
【０００８】
【特許文献１】特開２００９−１８３１７７号公報
【発明の概要】
【発明が解決しようとする課題】
【０００９】
しかし、上記特許文献１の保水資材では、保水資材の表面に供給された水をその裏面側へ浸透させて保水しようとしているが、速やかに水を裏面側へ浸透させて保水性を十分に高めることが難しいという問題がある。
【００１０】
本発明は、斯かる点に鑑みてなされたものであり、その目的とするところは、植物が生育される緑化ボードについて、廃棄する際の環境への負荷を低減しながらも、その保水性を高めることにある。
【課題を解決するための手段】
【００１１】
上記の目的を達成するために、この発明では、両端が保水ボードの側端部で開放された溝部をその保水ボードの裏面側に形成するようにした。
【００１２】
具体的に、第１の発明は、保水性を有する木質繊維板からなる保水ボードを備え、保水ボードの一方の表面側において植物を生育するように構成された緑化ボードを対象としている。そして、保水ボードの他方の表面側である裏面側には溝部が形成され、溝部の両端は、保水ボードの側端部においてそれぞれ開放されている。
【００１３】
この第１の発明では、保水ボードが保水している水分により、保水ボードの一方の表面側において植物を生育することが可能になる。ここで、保水ボードは木質繊維板からなるため、保水ボードに植物の根が絡んでいたとしても、当該植物の根と共に保水ボードを燃焼して廃棄することが可能となり、廃棄する際の環境への負荷が容易に低減される。
【００１４】
さらに、保水ボードの裏面側に溝部が形成されると共にその溝部の両端が保水ボードの側端部において開放されていることから、保水ボードの裏面側に供給された水を、その保水ボード側端部から溝部内に案内して、保水ボードの裏面側を速やかに保水することが可能になる。よって、保水ボードを上記一方の表面側及び裏面側の双方から水を十分に供給して、その保水性を大幅に高めることが可能となる。
【００１５】
第２の発明は、上記第１の発明に係る緑化ボードにおいて、保水ボードは矩形板状に形成され、溝部の両端は、保水ボードの４辺のうち互いに異なる２辺に形成されている。
【００１６】
この第２の発明では、保水ボードのある１辺と他の１辺とを通る溝部によって、この保水ボードを裏面側から好適に保水される。
【００１７】
第３の発明は、上記第１又は第２の発明に係る緑化ボードにおいて、保水ボードの裏面側には、シート状物がこの保水ボードの裏面に接触して設けられている。
【００１８】
この第３の発明では、保水ボードの裏面側にシート状物が接触して設けられているため、水がシート状物を伝って溝部内を容易に流れることとなる。したがって、より速やかに保水ボードを保水することが可能になる。
【００１９】
第４の発明は、上記第１乃至第３の発明の何れか１つに係る緑化ボードにおいて、保水ボードにおける一方の表面には、複数の穴部又は複数の溝部が形成されている。
【００２０】
この第４の発明では、保水ボードの表面に複数の穴部又は複数の溝部が形成されているので、植物の根をその穴部又は溝部に容易に活着させることが可能になる。
【００２１】
第５の発明は、上記第１乃至第４の発明の何れか１つに係る緑化ボードにおいて、保水ボードには、この保水ボードの厚さ方向に延びる複数の貫通孔が形成されている。
【００２２】
この第５の発明では、保水ボードに複数の貫通孔を形成するようにしたので、植物の根の活着性を高めることができ、しかも、保水ボード自体に透水性を持たせることが可能となる。
【００２３】
第６の発明は、上記第１乃至第３の発明の何れか１つに係る緑化ボードにおいて、保水ボードにおける上記一方の表面には、複数の溝部が形成され、保水ボードは、一方の表面側の溝部と裏面側の溝部とが、交差して互いに連通することにより形成された貫通孔を有している。
【００２４】
この第６の発明では、一方の表面側の溝部によって植物の根の活着性を高めると共に、裏面側の溝部によって保水ボードの保水性を高めることが可能となる。しかも、保水ボードには、一方の表面側の溝部と裏面側の溝部とが交差して互いに連通することにより貫通孔が形成されているため、保水ボードに別途に貫通孔を形成しなくても、その保水ボードに透水性を持たせることができる。
【００２５】
第７の発明は、上記第１乃至第６の発明の何れか１つに係る緑化ボードにおいて、上記保水ボードは、少なくとも裏面側に親水性を有する親水層が形成されている。
【００２６】
この第７の発明では、保水ボードの裏面に親水層が形成されているので、その裏面に形成された溝部に水が好適に導入されると共に、この溝部に導入された水が保水ボード内部へ効率良く給水されることとなる。
【００２７】
第８の発明は、緑化ボードを複数備えた緑化システムを対象としている。そして、緑化ボードは、保水性を有する木質繊維板からなる保水ボードを備え、この保水ボードの一方の表面側において植物を生育するように構成され、保水ボードの他方の表面側である裏面側には溝部が形成され、溝部の両端は、保水ボードの側端部においてそれぞれ開放されている。
【００２８】
この第８の発明では、保水ボードの一方の表面側において植物を生育することが可能になる。そして、保水ボードは木質繊維板からなるため、廃棄する際の環境への負荷が容易に低減される。しかも、保水ボードの裏面側に供給された水を、その保水ボード側端部から溝部内に案内して、保水ボードの裏面側を速やかに保水することが可能になる。よって、保水ボードを一方の表面側及び裏面側の双方から水を十分に供給して、その保水性を大幅に高めることが可能となる。
【００２９】
第９の発明は、上記第８の発明に係る緑化システムにおいて、保水ボードの裏面側には、シート状物がこの保水ボードの裏面に接触して設けられている。
【００３０】
この第９の発明では、保水ボードの裏面側にシート状物が接触して設けられているため、水がシート状物を伝って溝部内を容易に流れることとなる。したがって、より速やかに保水ボードを保水することが可能になる。
【発明の効果】
【００３１】
第１及び第８の発明によると、保水性を有する木質繊維板からなる保水ボードの側端部で両端が開放された溝部をその保水ボードの裏面側に形成することにより、保水ボードが木質繊維板からなるため、廃棄する際の環境への負荷を容易に低減することができ、しかも、保水ボードの裏面側に供給された水を、その保水ボード側端部から溝部内に案内して、保水ボードの裏面側を速やかに保水することができる。よって、保水ボードを一方の表面側及び裏面側の双方から水を十分に供給して、その保水性を大幅に高めることができる。
【００３２】
第２の発明によると、保水ボードのある１辺と他の１辺とを通る溝部によって、この保水ボードを裏面側から好適に保水できる。
【００３３】
第３及び第９の発明によると、保水ボードの裏面側にシート状物を接触して設けたので、水がシート状物を伝って溝部内を容易に流れるようにして、より速やかに保水ボードを保水することができる。
【００３４】
第４の発明によると、保水ボードの表面に複数の穴部又は複数の溝部を形成することにより、植物の根をその穴部又は溝部に容易に活着させることができる。
【００３５】
第５の発明によると、保水ボードに複数の貫通孔を形成することにより、植物の根の活着性を高めることができ、しかも、保水ボード自体に透水性を持たせることができる。
【００３６】
第６の発明によると、一方の表面側の溝部によって植物の根の活着性を高めると共に、裏面側の溝部によって保水ボードの保水性を高めることができる。しかも、一方の表面側の溝部と裏面側の溝部とが交差して互いに連通することによって、保水ボードに貫通孔が形成されるようにしたので、保水ボードに別途に貫通孔を形成しなくても、その保水ボードに透水性を持たせることができる。
【００３７】
第７の発明によると、保水ボードの裏面に親水層が形成されているので、その裏面に形成された溝部に水を好適に導入できると共に、この溝部に導入された水を保水ボード内部へ効率良く給水することができる。
【図面の簡単な説明】
【００３８】
【図１】図１は、本実施形態１における緑化ボードの外観を概略的に示す斜視図である。
【図２】図２は、緑化ボードの裏面を示す平面図である。
【図３】図３は、本実施形態１における緑化システムの構造を概略的に示す断面図である。
【図４】図４は、緑化ボードの配置を示す平面図である。
【図５】図５は、保水ボードの構造を示す断面図である。
【図６】図６は、保水ボードの構造を示す断面図である。
【図７】図７は、本実施形態１の変形例に係る緑化ボードを示す斜視図である。
【図８】図８は、本実施形態１の変形例に係る緑化ボードの裏面を示す平面図である。
【図９】図９は、本実施形態１の変形例に係る緑化ボードを示す斜視図である。
【図１０】図１０は、本実施形態２における緑化システムの構造を概略的に示す断面図である。
【図１１】図１１は、本実施形態２の変形例に係る緑化ボードを示す斜視図である。
【図１２】図１２は、図１１の一部を拡大すると共に破断して示す断面図である。
【図１３】図１３は、本実施形態３における緑化ボードの芝生が生育された状態を示す斜視図である。
【図１４】図１４は、本実施形態３における緑化ボードの芝生が生育される前の状態を示す斜視図である。
【図１５】図１５は、本実施形態３における緑化システムの構造を概略的に示す断面図である。
【発明を実施するための形態】
【００３９】
以下、本発明の実施形態を図面に基づいて詳細に説明する。尚、本発明は、以下の実施形態に限定されるものではない。また、各図面は、正確な寸法に対応しておらず、本発明を容易に理解し得るように概略的に記載されている。
【００４０】
《発明の実施形態１》
図１〜図６は、本発明の実施形態１を示している。
【００４１】
図１は、本実施形態１における緑化ボードの外観を示す斜視図である。図２は、緑化ボードの裏面を示す平面図である。図３は、本実施形態１における緑化システムの構造を示す断面図である。図４は、緑化ボードの配置を示す平面図である。図５及び図６は、保水ボードの構造を示す断面図である。
【００４２】
本実施形態１における緑化システム１は、緑化ボードを複数備えた植物を育生するための緑化システムである。図３に示すように、緑化システム１は、根層１０ａを有する植物１０と、根層１０ａの下に設けられた複数の緑化ボード５と、緑化ボードの下に設けられたシート状物としての透水耐根シート層２７と、透水耐根シート層２７の下に設けられた排水層１６と、排水層１６の下に設けられた耐根シート層１５とを備えている。
【００４３】
本実施形態１の緑化システム１は、例えば建物の屋上等を構成するコンクリートスラブ１７上に設けられている。そのことにより、建物の屋上は緑化システム１によって緑化されている。
【００４４】
（耐根シート層）
耐根シート層１５は、コンクリートスラブ１７の表面に設置されている。耐根シート層１５は、厚みが０．６ｍｍ程度であり、例えばポリプロピレン樹脂（ＰＰ樹脂）によって構成されている。耐根シート層１５は、その他にも例えばポリエステル不織布や、塩化ビニル樹脂（ＰＶＣ樹脂）等の樹脂シート等の植物の根を通さないような材料によって構成することができる。
【００４５】
（排水層）
排水層１６は、耐根シート層１５の表面に設置されている。排水層１６は、設置面である耐根シート層１５の表面上で緑化システム１の排水用の空間を確保するためのものである。排水層１６は、例えば、東洋紡株式会社の「コスモジオ」（登録商標）等の厚みが１０ｍｍ程度であるプラスチック網状成型体によって構成されている。また、プラスチック３次元立体成型体によって排水層１６を構成することも可能である。
【００４６】
プラスチック網状成型体とは、例えばナイロン、ポリプロプレン又は塩化ビニル等の剛性を有する０．５ｍｍ〜２ｍｍ程度の樹脂線材を、カールさせた状態で立体網目状に嵩高に絡めたもの、好ましくは線材接点が熱融着されたものである。また、プラスチック３次元立体成型体とは、ナイロン、ポリプロプレン又は塩化ビニル等の剛性を有する樹脂を、例えばインジェクションプレス等の成型方法により、波状、３次元網目状又はウェブ状に立体成型されたものである。プラスチック網状成型体及びプラスチック３次元立体成型体は、何れも空隙部を有しており、その空隙部によって排水が可能な樹脂成型排水マットとなっている。
【００４７】
プラスチックからなる網状成型体の他の例としては、例えば、新光ナイロン株式会社の「ヘチマロン」（登録商標）等を挙げることができる。また、プラスチックからなる３次元立体成型体の例としては、例えば、ＥＬＭＩＣＨ社の「ＶｅｒｓｉＣｅｌｌ」（登録商標）や、複数のスペーサが一方向に突出して形成された板状の格子部材からなるプラスチック成型体等を挙げることができる。
【００４８】
排水層１６は、上記プラスチック網状成型体及びプラスチック３次元立体成型体以外にも、排水用の空間を確保できるような耐圧性を有するマット状の他の部材によって構成することが可能である。
【００４９】
（透水耐根シート層）
透水耐根シート層２７は、排水層１６の上に設置され、厚みが０．１ｍｍ程度である例えば東洋紡株式会社の「コスモアングラス」（登録商標）等のポリエステル不織布によって構成されている。
【００５０】
透水耐根シート層２７は、水を透過させる一方、植物１０の根を通さないように構成されたシートである。透水耐根シート層２７は、保水ボード１３の裏面に接触して設けられている。この透水耐根シート層２７を設けることにより、透水耐根シート層２７と緑化ボード５との間を適度に保水し、緑化ボード５の裏面側に水を供給することが可能になる。
【００５１】
一方、この透水耐根シート層２７を設けないと、緑化ボード５を通過した根が排水層１６に入り込んでしまう結果、分別廃棄が難しくなるだけでなく、排水層１６における排水不良を招く原因となる。また、植物１０が育成された植物育成層と排水層１６との分別も困難になる。
【００５２】
透水耐根シート層２７には、耐根性及び透水性を有する種々のシートを適用できる。例えば厚さ０．１ｍｍ〜０．５ｍｍ程度の樹脂不織布、密に織られた樹脂織布、又は綿布等を適用することが可能である。このような材料の他の例としては、例えばビルマテル株式会社のスパンボンドポリエステル樹脂不織布である「エコロベース」（登録商標）等の透水シート等が挙げられる。
【００５３】
（緑化ボード）
緑化ボード５は、図１及び図２に示すように、保水性を有する保水ボード１３を有し、その保水ボード１３の一方の表面側において植物１０を生育するように構成されている。尚、緑化ボード５は、保水ボード１３と、保水ボード１３同士を互いに固定するための連結部材とを有していてもよい。
【００５４】
保水ボード１３は、比重が０．０５〜０．３５程度であり、厚みが１０ｍｍ〜２５ｍｍである木質繊維板１９によって構成されている。そのことにより、同じ厚みの土壌に比べて優れた保水性を確保しつつ、極めて軽量な構成とし、法令で定められた６０ｋｇ／ｍ２未満の重量を余裕を持って実現できる。このため、緑化ボード５によって、屋上の緑化をはじめ、種々の場所にも設置可能な緑化システムを構成することができる。例えば、本実施形態では、比重が０．２であり、厚みが１１ｍｍであるインシュレーションボードによって保水ボード１３を構成すれば、１０ｋｇ／ｍ２〜１２ｋｇ／ｍ２程度の吸水量が期待できる。
【００５５】
ここで、通常のインシュレーションボードは、長繊維の木質繊維をバインダーやワックスとともに湿式抄造することによって、板状に成型されているが、インシュレーションボードの保水性を向上させるためには、その製造時における抄造スラリーにワックス等の撥水性を発現させるものを添加しないことが最も好ましい。また、製造時に界面活性剤を抄造スラリーに添加したり、製造されたインシュレーションボードの表面に界面活性剤をスプレー塗布することも可能である。そして、こうして製造した保水ボード１３に水を接触させることにより、保水ボード１３を保水状態とする。
【００５６】
本実施形態における保水ボード１３は、撥水性を有すると共に比重が０．０５〜０．３５程度である通常のインシュレーションボードを用いて製造することもできる。通常のインシュレーションボードは、上述のように多少の撥水性を有しているため、本実施形態では、界面活性剤等によって保水ボード１３の濡れ性を向上させ、保水ボード１３を容易に保水状態となるようにしている。このような界面活性剤としては、例えば、株式会社ハイポネックスジャパンの「ワターイン」（登録商標）や「ワターインキレート」（商品名）を適用することができる。
【００５７】
保水ボード１３は、例えば縦及び横の長さがそれぞれ９０ｃｍである矩形板状に形成され、その厚みが１１ｍｍ程度である。保水ボード１３は、図５に示すように、撥水性を有するインシュレーションボードにおける少なくとも透水耐根シート層２７と反対側の表層部に、親水性を有する親水層２０が形成されている。親水層２０の厚みは、例えば５ｍｍ程度とすることが可能である。こうして、保水ボード１３は、保水性を有する木質繊維板１９によって構成されている。
【００５８】
保水ボード１３は、施工後の緑化システム１を構成した状態で、その全体が親水層２０となっているが、施工前にはインシュレーションボードの少なくとも一部の表層部に親水層２０が形成される一方、その他の部分が撥水性を有する撥水層２１が形成されている。
【００５９】
例えば、施工前の保水ボード１３は、図５に示すように、透水耐根シート層２７と反対側となる表層部のみに親水層２０が形成されていてもよく、図６に示すように、表層部の全体が親水層２０となり、その内側部分が撥水層２１となるように形成してもよい。
【００６０】
また、保水ボード１３を構成する木質繊維板１９の製造工程（例えば、抄造工程）や、製造後の工程において、界面活性剤を添加することにより、木質繊維板１９の一部又は全部を親水層２０として形成した保水ボード１３を用いてもよい。
【００６１】
ここで、保水ボード１３を構成する木質繊維板１９の比重は、０．０５未満であると、その上を人が歩行するための積載荷重に対する耐性が不足するだけでなく、保水量が大幅に少なくなってしまう。一方、０．３５を越えると、比重が高すぎて植物の根の活着性が低下する。したがって、木質繊維板１９の比重は０．０５〜０．３５とされている。
【００６２】
また、この木質繊維板１９の厚みは、１０ｍｍ未満であると、保水量が大幅に不足する一方、２５ｍｍを越えると、不必要にコストが上昇するため、１０ｍｍ〜２５ｍｍとされている。
【００６３】
複数の保水ボード１３は、その一部を図４に示すように、マトリクス状に配置され、全体として平面状に配置されている。さらに、互いに隣り合う保水ボード１３同士の間には、所定の間隔２３が設けられている。各間隔２３は、例えば５ｍｍ〜５０ｍｍ程度であることが好ましい。本実施形態では、各保水ボード１３同士の間隔２３が５０ｍｍ程度の幅とされている。
【００６４】
また、図１に示すように、保水ボード１３の一方の表面（つまり植物１０側の表面）には、複数の穴部４３が形成されている。穴部４３の直径は約２ｍｍであり、深さが約３ｍｍである。穴部４３を形成することにより、植物１０の根の活着性を高めることができる。
【００６５】
一方、図１及び図２に示すように、保水ボード１３の他方の表面側である裏面側には、複数の溝部５０が形成されている。複数の溝部５０はそれぞれ例えば直線状に形成され、その溝部５０の両端が保水ボード１３の側端部においてそれぞれ開放されている。また、溝部５０の両端は、保水ボード１３の４辺のうち互いに異なる２辺に形成されている。そうして、溝部５０の内部が透水耐根シート層２７に対向するようになっている。
【００６６】
溝部５０の幅は１ｍｍ〜５ｍｍ程度であり、溝部５０の深さは１ｍｍ以上であって保水ボード１３の厚みの半分程度以下である。溝部５０の寸法や本数は、緑化ボード５の使用態様に応じて、その強度が確保できるように規定されている。本実施形態における溝部５０は、幅が約２ｍｍであって深さが約３ｍｍであり、例えば１０ｃｍ間隔で互いに平行に配置されている。また、溝部５０は、保水ボード１３の対向する２辺と平行に延びている。
【００６７】
溝部５０は１本でもよいが、本数が多いほど均一に保水ボード１３の裏面に水を供給できる点で好ましい。溝部の本数を増やす場合には、その深さが大きくなると強度が低下するため、１ｍｍ〜３ｍｍ程度の深さとして強度を確保することが好ましい。一方、溝深さを１ｍｍよりも浅くすることは、保水ボード１３が吸水して膨張した際に溝形状を維持できなくなる虞があるため、好ましくない。
【００６８】
このように複数の溝部５０を設けることにより、隣り合う緑化ボード５同士の隙間から流下した水を当該溝部５０により導いて、保水ボード１３の裏面全体に水を供給することが可能になる。
【００６９】
さらに好ましくは、保水ボード１３の少なくとも裏面側に親水層２０が形成されている。このことにより、その裏面に形成された溝部５０に水を好適に導入できると共に、この溝部５０に導入された水を保水ボード１３内部へ効率良く給水することができる。
【００７０】
（粒状物）
図３に示すように、各保水ボード１３同士の間には、複数の粒状物２４が充填されている。複数の粒状物２４は、保水ボード１３の表面と略平坦になるように、例えば１ｍｍ〜５ｍｍ程度の粒径を有するようにしてもよい。粒状物２４としては、例えば鹿沼土、日向土、パミス等の軽石、砕石、セラミック、ゼオライト、パーライト、又はバーミキュライト等を適用することができる。
【００７１】
さらに、各保水ボード１３同士の間には、粒状物２４と共に肥料２５を設けることが可能である。肥料２５は、土壌層１１に植栽される植物１０に適したものを選択することが好ましい。さらに好ましくは、充填された肥料２５以外の粒状物２４の透水性を妨げない肥料であることが好ましい。そこで、本実施形態では、粒状の肥料２５を、粒状の軽量土壌等の他の粒状物２４と共に、各保水ボード１３同士の間に充填している。すなわち、本実施形態における複数の粒状物２４には、粒状の肥料２５が含まれている。
【００７２】
尚、各保水ボード１３同士の隙間には、灌水用パイプを配置するようにしてもよい。そのことにより、互いに隣り合う保水ボード１３同士の隙間を利用して灌水用パイプを配設することができる。また、灌水用パイプから供給される水によって保水ボード１３を十分に保水することができる。
【００７３】
（植物）
植物１０は、その根層１０ａが緑化ボード５の表面に直接に設けられている。そして、その保水ボード１３の表面に植物１０が直接に植生されている。植物１０は、その上で人間が歩いたり運動したりすることを考慮すると、芝生がもっとも好適である。芝生は、例えばロール状にした巻芝を緑化ボード５の上で展開して設置する。
【００７４】
植物１０の上を人間が歩いたりしない場合には、つる性植物や、その他草花などを植物１０としてもよい。また、苔を植物１０としてもよいが、苔は根がなく剥がれやすいため、特に緑化ボード５を壁面等に載架する場合や、緑化ボード５を屋外に設置する場合等には、例えば、その表面を網状シートで覆ったり、網状シートと保水ボード１３とを固定して一体化しておくことが望ましい。
【００７５】
−施工方法−
次に、緑化システム１の施工方法について説明する。本実施形態では、建物の屋上等におけるコンクリートスラブ１７上に緑化システム１を形成する。
【００７６】
まず、コンクリートスラブ１７の表面に、厚みが０．６ｍｍ程度であり、例えばポリプロピレン樹脂（ＰＰ樹脂）からなる耐根シート層１５を設置する。次に、耐根シート層１５の表面に樹脂成型排水マットである排水層１６を設置する。次に、排水層１６の上に、植物１０の根を通さない透水耐根シート層２７を設置する。
【００７７】
また、予め複数の緑化ボード５を形成しておく。すなわち、撥水性を有する木質繊維板１９に界面活性剤を含む水を接触させることにより、木質繊維板１９に撥水性を有する撥水層２１を残しつつ、この木質繊維板１９の少なくとも一部の表層部に親水性を有する親水層２０を形成する。具体的には、界面活性剤「ワターイン」（登録商標）を５００倍に希釈した水溶液に木質繊維板１９を浮かべたり、漬けたりする。木質繊維板１９を浮かべると、その水に接した部分から木質繊維板１９は徐々に保水されていく。そうして、表面から５ｍｍ程度を保水状態として親水層２０を有する保水ボード１３を形成する。
【００７８】
上述のように、施工前の保水ボード１３は、図５に示すように、植物１０側となる表層部のみに親水層２０を形成していてもよく、図６に示すように、表層部の全体を親水層２０とする一方、その内側部分が撥水層２１となるように形成してもよい。さらには、木質繊維板１９の抄造工程において界面活性剤を添加することにより、乾燥後に全ての層が親水層となった保水ボードを用いてもよい。
【００７９】
その後、透水耐根シート層２７の上に、複数の緑化ボード５としての保水ボード１３を配設する。この工程では、例えば、親水層２０が形成された表層部を、この保水ボード１３における透水耐根シート層２７と反対側（つまり植物１０側）に配置させる。さらに、図４に示すように、複数の保水ボード１３を、透水耐根シート層２７上で全体として平面状に配置すると共に、互いに隣り合う保水ボード１３同士の間に例えば５ｍｍ〜５０ｍｍ程度の間隔２３を設ける。
【００８０】
木質繊維板（インシュレーションボード）は、水を含むことによって長さ方向及び幅方向の寸法が大きくなる。このとき、各保水ボード１３間に間隔２３を設けていなければ、保水ボード１３の一部が浮き上がってしまう虞がある。したがって、このように間隔２３を設けることによって、保水ボード１３の浮き上がりを防止できる。また、降雨等により多量の水が供給された場合、保水ボード１３同士の隙間を通ってその水を下方へ排出することができる。
【００８１】
複数の保水ボード１３をマトリクス状に配置すれば、上方から見て格子状の溝が各保水ボード１３間の隙間によって形性されることとなり、保水ボード１３上の排水性を高めて過剰な水をその隙間から好適に排出できる。
【００８２】
次に、図３に示すように、各保水ボード１３同士の間に、粒状物２４及び粒状の肥料２５を充填する。尚、各保水ボード１３同士の隙間は空隙としておいてもよい。また、各保水ボード１３同士の隙間に灌水用パイプを配設してもよい。
【００８３】
そして、透水耐根シート層２７上に設置した複数の保水ボード１３における親水層２０に水を供給する。そのことにより、親水層２０に含まれる界面活性剤を撥水層２１へ浸透させて、保水ボード１３の全体に親水層２０を形成することができる。尚、水は、植物１０を植生した後に供給してもよい。
【００８４】
この場合、保水ボード１３の施工前に木質繊維板１９を完全な保水状態としてもよいが、木質繊維板１９が完全に保水状態になると、例えば９０ｃｍ×９０ｃｍ等の大きな板を施工する場合に強度が弱くなってハンドリングが悪くなるだけでなく、完全に保水状態とするためにはかなりの長時間を要する。したがって、施工前には、保水ボード１３における少なくとも植物１０側の表層部又は裏面側の表層部を、界面活性剤を含む水によって保水状態としておき、施工後に保水部分に水を供給して、施工状態で完全な保水状態とすることが好ましい。
【００８５】
また、透水耐根シート層２７の上に保水ボード１３を配設する方法としては、透水耐根シート層２７上に複数の木質繊維板１９を所定の間隔で設けた後に、木質繊維板１９の表面に界面活性剤を含む水を散水し、木質繊維板１９の少なくとも一部の表層部に親水性を有する親水層２０を形性することも可能である。その後に、スプレーや如雨露などにより、保水ボード１３における親水層２０に水を供給し、親水層２０に含まれる界面活性剤を撥水層２１へ浸透させることにより、保水ボード１３の全体に親水層２０を形成する。
【００８６】
このようにすれば、保水ボード１３に親水層２０を形成する前に、高い保形性有する木質繊維板１９を透水耐根シート層２７の上に設けて、その後に木質繊維板１９に親水層２０を形成することから、保水ボード１３の配設作業を容易化することができる。
【００８７】
次に、植物１０が芝生である場合には、上述のように、ロール状の芝生を土壌層１１の上で展開する。その後、芝生が生育してその根が保水ボード１３に活着する。こうして、保水性が高められた緑化システム１を施工することができる。
【００８８】
したがって、この実施形態１によると、保水ボード１３が保水している水分により、保水ボード１３の一方の表面側において植物１０を生育することができる。ここで、保水ボード１３は木質繊維板１９からなるため、保水ボード１３に植物１０の根が絡んでいたとしても、当該植物１０の根と共に保水ボード１３を燃焼して廃棄することが可能となり、廃棄する際の環境への負荷を容易に低減することができる。
【００８９】
さらに、保水ボード１３の裏面側に溝部５０を形成すると共にその溝部５０の両端が保水ボード１３の側端部において開放されるようにしたので、保水ボード１３の裏面側に供給された水を、その保水ボード１３の側端部から溝部５０内に案内して、保水ボード１３の裏面側を速やかに保水することができる。この場合、特に保水ボード１３の少なくとも裏面側を親水層２０としておくことによって、より速やかに水を溝部５０内で案内することができる。よって、保水ボード１３を一方の表面側（つまり植物１０側）及び裏面側の双方から水を十分に供給して、その保水性を大幅に高めることができる。
【００９０】
さらにまた、溝部５０を保水ボード１３のある１辺と他の１辺とを通る構成としたので、保水ボード１３を裏面側から好適に保水することができる。しかも、保水ボード１３の裏面側に透水耐根シート層２７が接触して設けられているため、水が透水耐根シート層２７を伝って溝部５０内を容易に流れることとなる。したがって、より速やかに保水ボード１３を保水することができる。加えて、保水ボード１３の表面に複数の穴部４３を形成するようにしたので、植物１０の根をその穴部４３に容易に活着させることができる。
【００９１】
ここで、図７及び図９は、本実施形態１の変形例に係る緑化ボード５を示す斜視図である。図８は本実施形態１の変形例に係る緑化ボード５の裏面を示す平面図である。
【００９２】
上記実施形態では、保水ボード１３の対向する２辺と平行に延びる溝部５０を当該保水ボード１３に形成したが、図７及び図８に示すように、溝部５０が保水ボード１３の１辺に対して斜めに延びるように形成してもよい。言い換えれば、溝部５０の両端が、保水ボード１３における互いに隣り合う２辺に形成されるようにしてもよい。このようにしても、水が溝部５０を通って保水ボード１３の裏面側へ容易に供給されるため、保水ボード１３を裏面側から好適に保水することができる。
【００９３】
また、上記実施形態では、保水ボード１３における植物１０側の表面に複数の穴部４３を形成したが、図９に示すように、当該植物１０側の表面に複数の溝部４８を形成するようにしてもよい。このようにしても、植物１０の根を溝部４８に容易に活着させることができる、植物１０をより好適に生育することが可能になる。
【００９４】
《発明の実施形態２》
図１０は、本発明の実施形態２を示している。図１０は、本実施形態２における緑化システム１の構造を示す断面図である。尚、以降の各実施形態では、図１〜図９と同じ部分については同じ符号を付して、その詳細な説明を省略する。
【００９５】
本実施形態２における緑化システム１は、図１０に示すように、植物１０が植えられた土壌層１１と、土壌層１１の下に設けられた複数の緑化ボード５と、緑化ボードの下に設けられたシート状物としての透水耐根シート層２７と、透水耐根シート層２７の下に設けられた排水層１６と、排水層１６の下に設けられた耐根シート層１５とを備えている。
【００９６】
本実施形態２の緑化システム１は、例えば建物の屋上等を構成するコンクリートスラブ１７上に設けられている。そのことにより、建物の屋上は緑化システム１によって緑化されている。
【００９７】
耐根シート層１５、排水層１６及び透水耐根シート層２７は、上記実施形態１と同様の構成を有している。また、上記実施形態１における緑化ボード５は、植物１０側の表面に複数の穴部４３が形成されると共に裏面側に複数の溝部５０が形成された構成であったのに対し、本実施形態における緑化ボード５は、複数の溝部５０が形成されている点で共通する一方、複数の穴部４３の代わりに複数の貫通孔５１が形成されている点で相違している。
【００９８】
すなわち、保水ボード１３は、例えば縦及び横の長さがそれぞれ９０ｃｍである矩形板状に形成され、その厚みが１１ｍｍ程度である。保水ボード１３の裏面側に形成されている複数の溝部５０は、例えばその幅が約５ｍｍであって深さが約３ｍｍであり、例えば１０ｃｍ間隔で互いに平行に配置されている。また、溝部５０は、保水ボード１３の対向する２辺と平行に延びている。
【００９９】
さらに、複数の貫通孔５１は、保水ボード１３の厚さ方向に延びており、その内径が例えば２ｍｍ程度である。貫通孔５１は、溝部５０内にも形成されている。そうして、複数の保水ボード１３は、マトリクス状に配置され、全体として平面状に配置されている。さらに、互いに隣り合う保水ボード１３同士の間には、例えば５０ｍｍ程度の幅で間隔２３が設けられている。
【０１００】
（土壌層）
土壌層１１は、例えば一般的な園芸用土、腐葉土、砕石、セラミック又は軽量土壌等によって構成されている。特に、株式会社イングスの「ＩＧソイル」（商品名）等の軽量土壌によって土壌層１１を構成することが好ましい。軽量土壌とは、鹿沼土、日向土、パミス等の軽石、ゼオライト、パーライト、バーミキュライト、ベントナイト、及び人工軽量土等の比重が比較的軽いものをいう。特に、植物１０が芝生である場合、芝生が中性又は弱酸性を好むことから、アルカリ性の強い土壌には必要に応じて中和剤を添加するのが好ましい。
【０１０１】
緑化システム１を駐車場に設ける場合には、緑化システム１の上に車両が駐車されることから、土壌層１１で育成されている植物１０としての芝生を保護する必要がある。そのため、樹脂製の芝生保護材３６が土壌層１１に埋設されている。
【０１０２】
芝生保護材３６とは、上からの加重を分散させることにより、芝生の根が枯死することを防ぐためのものであり、ＰＰ樹脂やＰＶＣ樹脂等の樹脂を３次元リブ成型したものが好適に用いられる。例えば、日本植生株式会社の「タフタフパーク」（商品名）、新和商事株式会社の「ターフパーキング」（商品名）、又はＥＬＭＩＣＨ社の「ＴｕｒｆＰａｖｅ」（商品名）を芝生保護材３６とすることが可能である。
【０１０３】
本実施形態における芝生保護材３６は、上下方向に開口部を有する筒状の筒状部材３７を複数有し、各筒状部材３７が千鳥状に配置された状態で互いに一体に結合された構成となっている。尚、駐車場に限らず、人の通り道等、芝生が頻繁に上から踏みつけられることが想定される場合には、駐車場と同様に芝生保護材３６を緑化システム１に設けることが好ましいのは言うまでもない。
【０１０４】
（植物）
植物１０は、芝生やつる性植物が好適である。植物１０を育生するために、緑化システム１の施工時に、当該植物１０の種を土壌層１１等に散布しておいてもよく、苗を土壌層１１に植えるようにしてもよい。また、植物１０が芝生であれば、マット状に成型された芝生をロール状にした巻芝や、３００ｍｍ角程度の大きさに切った切芝を土壌層１１上に載置してもよい。これらは、施工後１〜２ヶ月程度で、土壌層１１及び保水ボード１３に至るまで根を伸ばして活着する。
【０１０５】
したがって、この実施形態２によると、緑化ボード５の裏面側に複数の溝部５０を形成するようにしたので、上記実施形態１と同様の効果が得られることに加え、保水ボード１３に複数の貫通孔５１を形成するようにしたので、植物１０の根の活着性を高めることができ、しかも、保水ボード１３自体に透水性を持たせることができる。
【０１０６】
ここで、図１１は、本実施形態２の変形例に係る緑化ボード５を示す斜視図である。図１２は、図１１の一部を拡大すると共に破断して示す断面図である。
【０１０７】
上記実施形態では、保水ボード１３に複数の貫通孔５１を貫通形成したが、図１１に示すように、保水ボード１３の両面に溝部４８，５０を形成し、各溝部４８，５０を連通させることによって、同図に下向き矢印Ａで示す位置に、貫通孔５２を形成するようにしてもよい。
【０１０８】
すなわち、この変形例における保水ボード１３の一方の表面（つまり植物１０側の表面）には、複数の溝部４８が形成されている。この複数の溝部４８は互いに平行に配置されると共に裏面側の溝部５０と交差する方向に延びている。そうして、この複数の溝部４８と裏面側の溝部５０とが交差して互いに連通することにより、図１２に示すように、貫通孔５２が形成されている。
【０１０９】
貫通孔５２を設ける場合の裏面側の溝部５０の深さは、植物１０側の表面の溝部４８の深さよりも大きくすることが好ましい。例えば、厚みが１１ｍｍの保水ボード１３に対し、溝部４８は幅が約２ｍｍであり深さが５ｍｍである一方、裏面側の溝部５０は幅が２ｍｍであり深さが８ｍｍとすることが可能である。
【０１１０】
このことにより、一方の表面側の溝部４８によって植物１０の根の活着性を高めると共に、裏面側の溝部５０によって保水ボード１３の保水性を高めることができる。しかも、一方の表面側の溝部４８と裏面側の溝部５０とが交差して互いに連通することによって、保水ボード１３に貫通孔５２が形成されるようにしたので、保水ボード１３に別途に貫通孔を形成しなくても、その保水ボード１３に透水性を持たせることができる。
【０１１１】
《発明の実施形態３》
図１３〜図１５は、本発明の実施形態３を示している。
【０１１２】
図１３は、本実施形態３における緑化ボードの芝生が生育された状態を示す斜視図である。図１４は、本実施形態３における緑化ボードの芝生が生育される前の状態を示す斜視図である。図１５は、本実施形態３における緑化システムの構造を概略的に示す断面図である。
【０１１３】
本実施形態３における緑化システム１は、図１５に示すように、植物１０が生育される複数の緑化ボード５と、緑化ボード５の下に設けられたシート状物としての透水耐根シート層２７と、透水耐根シート層２７の下に設けられた排水層１６と、排水層１６の下に設けられた耐根シート層１５とを備えている。
【０１１４】
本実施形態３の緑化システム１は、例えば地盤１８の上に設けられている。そのことにより、当該地盤１８が植物が生育しにくい地質であっても、緑化システム１によって緑化することが可能になる。
【０１１５】
地盤１８の表面には、厚みが０．１ｍｍ程度である耐根シート層１５が設けられている。耐根シート層１５は、例えばポリプロピレン樹脂（ＰＰ樹脂）によって構成されている。耐根シート層１５は、その他にも例えばポリエステル不織布や、塩化ビニル樹脂（ＰＶＣ樹脂）等の樹脂シート等の植物の根を通さないような材料によって構成することができる。耐根シート層１５の上には、上記実施形態１と同様に、排水層１６及び透水耐根シート層２７が設けられている。
【０１１６】
（緑化ボード）
緑化ボード５は、図１３及び図１４に示すように、保水性を有する保水ボード１３と、保水ボード１３の表面に設けられた有孔シート２８とを有している。
【０１１７】
＜保水ボード＞
保水ボード１３は、上記実施形態１と同様に、比重が０．０５〜０．３５程度であるインシュレーションボードによって構成されている。保水ボード１３は、例えば縦及び横の長さがそれぞれ９０ｃｍである矩形板状に形成され、その厚みが１１ｍｍ程度である。保水ボード１３は、少なくとも透水耐根シート層２７と反対側の表層部に、親水性を有する親水層２０が形成されている。
【０１１８】
また、図１に示すように、保水ボード１３における透水耐根シート層２７と反対側の表面には、複数の穴部４３が形成されている。穴部４３の直径は約２ｍｍであり、深さが約３ｍｍである。穴部４３を形成することにより、植物１０の根の活着性を高めることができる。さらに、これら複数の穴部４３には、肥料がそれぞれ設けられている。肥料は芝生用の粒状肥料である。穴部４３に肥料が入れられた保水ボード１３の表面には澱粉を塗布して乾燥させた。そのことにより、肥料は保水ボード１３に固定されている。
【０１１９】
一方、図１３〜図１５に示すように、保水ボード１３の裏面側には、複数の溝部５０が形成されている。複数の溝部５０はそれぞれ例えば直線状に形成され、その溝部５０の両端部が保水ボード１３の裏面における異なる２辺に開放端として形成されている。
【０１２０】
さらに好ましくは、保水ボード１３の裏面側にも親水層２０が形成されている。このことにより、その裏面に形成された溝部５０に水を好適に導入し、溝部５０に導入された水を保水ボード１３内部へ効率良く給水することが可能になる。また、施工前の保水ボード１３は、その全体に親水層２０が形成されていてもよい。
【０１２１】
＜有孔シート＞
有孔シート２８は、図１４に示すように、保水ボード１３の親水層２０が形成されている表面を覆うように設けられており、複数の孔を有するシートによって構成されている。有孔シート２８は、例えば樹脂不織布、又は麻もしくはジュート等の植物由来の繊維織物等によって好適に形成することができる。尚、これらの樹脂不織布や植物由来の繊維織物等を組み合わせて有孔シート２８を構成してもよい。
【０１２２】
本実施形態における有孔シート２８は、厚みが０．１ｍｍであるポリ乳酸樹脂の不織布によって構成されている。ポリ乳酸樹脂は、いわゆる生分解性プラスチックであって、１ヶ月〜１年程度で土壌に分解される。
【０１２３】
有孔シート２８の表面には、多数の芝生の種２９が播種されており、澱粉のりによって固定されている。こうして、多数の種２９が有孔シート２８によって保水ボード１３上に保持されている。
【０１２４】
（植物）
植物１０は、図１に示すように、緑化ボード５の有孔シート２８から発芽した芽が生育したものである。植物１０の根は保水ボード１３に活着している。すなわち、保水ボード１３の表面には、植物１０が直接に植生されている。植物１０は、その上で人間が歩いたり運動したりすることを考慮すると、芝生がもっとも好適である。
【０１２５】
植物１０の上を人間が歩いたりしない場合には、つる性植物や、その他草花などを植物１０としてもよい。また、苔を植物１０としてもよいが、苔は根がなく剥がれやすいため、特に緑化ボード５を壁面等に載架する場合や、緑化ボード５を屋外に設置する場合等には、例えば、その表面を網状シートで覆ったり、網状シートと保水ボード１３とを固定して一体化しておくことが望ましい。
【０１２６】
本実施形態における緑化システム１を施工する場合には、地盤１８の表面に対して上記実施形態１と同様に耐根シート層１５、排水層１６及び透水耐根シート層２７を設置する。その後に、複数の緑化ボード５を図４に示すようにマトリクス状に配置させる。
【０１２７】
そこで、予め複数の緑化ボード５を形成しておく。まず、保水ボード１３を形成するために、撥水性を有する木質繊維板１９の裏面側（つまり、透水耐根シート層２７側）に複数の溝部５０を形成する。一方、木質繊維板１９の表面側に複数の穴部４３を形成する。
【０１２８】
次に、木質繊維板１９に界面活性剤を含む水を接触させて、木質繊維板１９に撥水性を有する撥水層２１を残しつつ、この木質繊維板１９の少なくとも一部の表層部に親水性を有する親水層２０を形成する。具体的には、界面活性剤「ワターイン」（登録商標）を５００倍に希釈した水溶液に木質繊維板１９を浮かべたり、漬けたりする。木質繊維板１９を浮かべると、その水に接した部分から木質繊維板１９は徐々に保水されていく。そうして、表面から５ｍｍ程度を保水状態として親水層２０を形成する。こうして、保水ボード１３を形成する。
【０１２９】
次に、穴部４３に肥料を詰めた後に、有孔シート２８を保水ボード１３の表面側に配置してネジ等の固定部材４４により固定する。続いて、有孔シート２８に澱粉のりを塗布し、その澱粉のりの表面に多数の芝生の種２９を播種して乾燥させる。こうして、種２９を保水ボード１３上で有孔シート２８によって保持させる。
【０１３０】
こうして形成した複数の緑化ボード５を、透水耐根シート層２７の表面に設置していく。緑化ボード５はペグ等を地面に打ち込んで固定する。このようにして、緑化システム１を施工する。施工した緑化ボード５の表面に散水すると、約２週間で芝生の種２９が発芽し、２ヶ月後には緑化システム１の全面が芝生で覆われた。そうして、土壌を使用しないで、飛躍的に軽量な緑化システム１を実現できる。
【０１３１】
一方、上記緑化ボード５において裏面側の溝部５０を形成しないようにした木質繊維板を比較例として実施した。この比較例の木質繊維板に散水した後、ペグを抜いて観察したところ、この木質繊維板の裏面は、４辺に沿った領域において水が浸透していたものの、その内側の領域において水が十分に浸透していなかった。
【０１３２】
したがって、この実施形態３によると、緑化ボード５の裏面側に複数の溝部５０を形成するようにしたので、上記実施形態１と同様の効果が得られることに加え、有孔シート２８によって保水ボード１３上に種２９を保持するようにしたので、現場への施工前に予め保水ボード１３の表面に芝生の根を活着させたり、現場に保水ボード１３を設置した後にその保水ボード１３の表面にロール状の芝生を展開させて載置させる作業が不要となる。したがって、緑化ボード５を軽量な構成としながらも芝生を設置する別途の作業が不要となるため、その施工性を大幅に高めることができる。
【０１３３】
さらにまた、保水ボード１３の表面に複数の穴部４３を形成したので、種２９から発芽した植物１０の根をその穴部４３に容易に活着させることができる。その上、植物の根が活着する穴部４３に肥料を設けるようにしたので、好適に植物１０に栄養を与えてその育生を促進させることができる。
【０１３４】
尚、本発明は上記実施形態１〜３に限定されるものでなく、本発明には、これらの実施形態１〜３を適宜組み合わせた構成が含まれる。
【産業上の利用可能性】
【０１３５】
以上説明したように、本発明は、植物が生育される緑化ボード及びそれを備えた緑化システムについて有用である。
【符号の説明】
【０１３６】
１      緑化システム 
５      緑化ボード 
１０      植物 
１３      保水ボード 
１９      木質繊維板 
２７      透水耐根シート層（シート状物） 
４３      穴部 
４８，５０      溝部 
５１，５２      貫通孔 
【図１】
2012223160.tif 000003
【図２】
2012223160.tif 000004
【図３】
2012223160.tif 000005
【図４】
2012223160.tif 000006
【図５】
2012223160.tif 000007
【図６】
2012223160.tif 000008
【図７】
2012223160.tif 000009
【図８】
2012223160.tif 000010
【図９】
2012223160.tif 000011
【図１０】
2012223160.tif 000012
【図１１】
2012223160.tif 000013
【図１２】
2012223160.tif 000014
【図１３】
2012223160.tif 000015
【図１４】
2012223160.tif 000016
【図１５】
2012223160.tif 000017